(57)【要約】【課題】トグルレバー式の原理による緊締下にあるケーシング半部のロックをもたらす、少なくとも２つのケーシング半部の解除可能な結合のための、機械的に簡単なロックシステムを形成することである。【解決手段】ばね弾性的なロック金属薄板（１０）は複数のタブ（１１，１３，１１）を有しており、タブに開口（１２，１４）が設けられており、開口（１２，１４）は第１のケーシング半部（３）において係止ピン（４）に対応し、第２のケーシング半部（６）において支承ピン（７）に対応し、ロック金属薄板（１０）のタブは、ロック金属薄板（１０）を取り囲む移動可能なスライドエレメント（２０）を介して、両ケーシング半部（３，６）のロック解除又はロックをもたらす撓曲又は伸張を受けるようにした。【選択図】図１
2011058630.tif 000002
【特許請求の範囲】
【請求項１】
第１のケーシング半部と第２のケーシング半部（６）とを備えた複数の部分から成るケーシングのためのロックシステムであって、スライドエレメント（２０）によって取り囲まれている、両ケーシング半部に係合するロック金属薄板（１０）を備えている、第１のケーシング半部と第２のケーシング半部とを備えた複数の部分から成るケーシングのためのロックシステムにおいて、
ばね弾性的なロック金属薄板（１０）は複数のタブ（１１，１３，１１）を有しており、
前記複数のタブに、第１のケーシング半部（３）に設けられた係止ピン（４）と、第２のケーシング半部（６）に設けられた支承ピン（７）とにそれぞれ対応する開口（１２，１４）が設けられており、
ロック金属薄板（１０）の前記タブは、ロック金属薄板（１０）を取り囲む移動可能なスライドエレメント（２０）を介して、両ケーシング半部（３，６）のロック解除又はロックをもたらす撓曲又は伸張を受けることを特徴とする、第１のケーシング半部と第２のケーシング半部とを備えた複数の部分から成るケーシングのためのロックシステム。
【請求項２】
ばね弾性的なロック金属薄板（１０）は並置されている３つのタブ（１１，１３，１１）から成形されており、該タブ（１１，１３，１１）は横方向ステー（１５）の片側においてまとめて保持されており、外側の保持タブ（１１，１１）は、中央のロックタブ（１３）よりも短く設計されており、外側の保持タブ（１１，１１）には第２のケーシング半部（６）に設けられている支承ピン（７）に支承されている開口（１４）が設けられており、中央のロックタブ（１３）は第１のケーシング半部（３）に設けられている少なくとも１つの係止ピン（４）に係合する窓開口（１２）を有していることを特徴とする、請求項１記載のロックシステム。
【請求項３】
スライドエレメント（２０）は方形の基本形状と凹状の外面（２１）とを備えた開放した中空体として成形されており、第２のケーシング半部（６）における対応する案内溝（８）内に係合する側方のガイドレール（２５）を介して移動可能に保持されていることを特徴とする、請求項１記載のロックシステム。
【請求項４】
スライドエレメント（２０）は内側領域に下側の傾斜（２２）を有しており、該下側の傾斜（２２）にロック金属薄板（１０）の横方向ステー（１５）から成形された下側の端部部材（１７）が移動可能に載置されていることを特徴とする、請求項１記載のロックシステム。
【請求項５】
スライドエレメント（２０）は内側の側面に、ロック金属薄板（１０）の上側の折り曲げられた端部部材（１６）を案内するために半円形の輪郭部（２４）を有していることを特徴とする、請求項１記載のロックシステム。
【請求項６】
スライドエレメント（２０）は内側の側面に傾斜（２２）を有しており、該傾斜（２２）を介してスライドエレメント（２０）の移動時に、ロック金属薄板（１０）は第１のケーシング半部（３）の係止ピン（４）から解除されることを特徴とする、請求項１記載のロックシステム。
【請求項７】
ロック金属薄板（１０）の中央のロックタブ（１３）に、縁部領域（１９）から出発して折り曲げられてはいるが、保持タブ（１１）に対して平行に延在するアーム（１８）が一体成形されていることを特徴とする、請求項１記載のロックシステム。
【請求項８】
スライドエレメント（２０）の移動時に、中央のロックタブ（１３）はアーム（１８）と共に内側の縦長の成形部（２６）と内側の凸状の輪郭部（２３）との間において変位させられ、ケーシング半部（３，６）はロック解除されることを特徴とする、請求項１記載のロックシステム。
【請求項９】
ロック時にスライドエレメント（２０）における半円輪郭部（２３）は中央のタブ（１３）の縁部領域（１９）を押圧し、ロック金属薄板（１３）は第１のケーシング半部（３）を押圧し、係止ピン（４）は係止のために開口（１２）内に侵入することを特徴とする、請求項７記載のロックシステム。
【請求項１０】
ロック金属薄板（１０）の外側の保持タブ（１１）は、スライドエレメント（２０）における押圧成形部（２７）を介して第２のケーシング半部（６）を常に押圧しており、支承ピン（７）は窓開口（１４）の内側に常に案内されていることを特徴とする、請求項１記載のロックシステム。
【発明の詳細な説明】
【技術分野】
【０００１】
本発明は、第１のケーシング半部と第２のケーシング半部とを備えた複数の部材から成るケーシングのためのロックシステムであって、スライドエレメントによって取り囲まれている、両ケーシング半部に係合するロック金属薄板を備えている、第１のケーシング半部と第２のケーシング半部とを備えた複数の部材から成るケーシングのためのロックシステムに関する。
【０００２】
このようなロックシステムは、２つのケーシング半部を解除可能に組み合わせるために必要である。
【背景技術】
【０００３】
慣用のトグルレバーに基づくロックシステムは、通常２つのジョイントシステム、即ちジョイントを介して実際の旋回レバーと結合されている鉤爪状のロックフックを用いて働く。ジョイントはケーシングに設けられている湾曲部の懸架点の下側に設けられている。ロックフックは、構成に応じて戻しばねによって湾曲部のストッパに対して押し付けることができる。差込み時にロックフックは係止フックを介してスナップ式に結合し、旋回レバーの操作により緊締される。旋回レバーはケーシングに向かって押圧され、通常のように差し込まれたケーシングに向かって押圧されない。
【０００４】
このようなロックシステムは、互いに対応する支承箇所を有する２つの湾曲エレメントを必要とする。回動・懸架点における高い力により、部材は相応に堅固に構成する必要がある。ケーシングの載着後にも、旋回レバーが操作される前にロックフックを係止ピンの周囲に設ける必要もある。
【発明の概要】
【発明が解決しようとする課題】
【０００５】
本発明の目的は、トグルレバー式の原理によるケーシング半部の緊締下にあるロックをもたらす、少なくとも２つのケーシング半部の解除可能な結合のための、機械的に簡単なロックシステムを形成することである。
【課題を解決するための手段】
【０００６】
上記目的は、第１のケーシング半部と第２のケーシング半部とを備えた複数の部分から成るケーシングのためのロックシステムであって、スライドエレメントによって取り囲まれている、両ケーシング半部に係合するロック金属薄板を備えている、第１のケーシング半部と、第２のケーシング半部とを備えた複数の部分から成るケーシングのためのロックシステムにおいて、ばね弾性的なロック金属薄板は複数のタブを有しており、これらのタブに、第１のケーシング半部に設けられた係止ピンと、第２のケーシング半部に設けられた支承ピンとにそれぞれ対応する開口が設けられており、ロック金属薄板のタブが、ロック金属薄板を取り囲む移動可能なスライドエレメントを介して、両ケーシング半部のロック解除又はロックをもたらす撓曲又は伸張を被ることにより達成される。
【０００７】
本発明の有利な構成は請求項２〜１０に記載されている。
【０００８】
好ましくは、ばね弾性的なロック金属薄板は並置されている３つのタブから成形されており、タブは横方向ステーの片側においてまとめて保持されており、外側の保持タブは、中央のロックタブよりも短く設計されており、外側の保持タブには第２のケーシング半部に設けられている支承ピンに支承されている開口が設けられており、中央のロックタブは第１のケーシング半部に設けられている少なくとも１つの係止ピンに係合する窓開口を有している。
【０００９】
好ましくは、スライドエレメントは方形の基本形状と凹状の外面とを備えた開放した中空体として成形されており、第２のケーシング半部における対応する案内溝内に係合する側方のガイドレールを介して移動可能に保持されている。
【００１０】
好ましくは、スライドエレメントは内側領域に下側の傾斜を有しており、下側の傾斜にロック金属薄板の横方向ステーから成形された下側の端部部材が移動可能若しくは摺動可能に載置されている。
【００１１】
好ましくは、スライドエレメントは内側の側面に、ロック金属薄板の上側の折り曲げられた端部部材を案内するために半円形の輪郭部を有している。
【００１２】
好ましくは、スライドエレメントは内側の側面に傾斜を有しており、傾斜を介してスライドエレメントの移動時に、ロック金属薄板は第１のケーシング半部の係止ピンから解除される。
【００１３】
好ましくは、ロック金属薄板の中央のロックタブに、縁部領域から出発して折り曲げられてはいるが、保持タブに対して平行に延在するアームが一体成形されている。
【００１４】
好ましくは、スライドエレメントの移動時に、中央のロックタブはアームと共に内側の縦長の成形部と内側の凸状の輪郭部との間において変位させられ、ケーシング半部はロック解除される。
【００１５】
好ましくは、ロック時にスライドエレメントにおける半円輪郭部は中央のタブの縁部領域を押圧し、ロック金属薄板は第１のケーシングを押圧し、係止ピンは係止のために開口内に侵入する。
【００１６】
好ましくは、ロック金属薄板の外側の保持タブは、スライドエレメントにおける押圧成形部を介して第２のケーシング半部を常に押圧しており、支承ピンは窓開口の内側に常に案内されている。
【発明の効果】
【００１７】
本発明は、２つのケーシング半部から成るケーシング、特に本発明においてはコネクタケーシングであって、スライドエレメントから形成されているロックシステムを有するケーシングに関する。スライドエレメントの内側にはばね弾性的なロック金属薄板が配置されている。本発明において、２つのスライドエレメントはコネクタケーシングの両側において対称的に配置されている。ロック金属薄板は複数の開口を有しており、下側のケーシング半部の支承ピンにおいて移動可能に支承されており、ロックされた状態においては、係止ピンを介して上側のケーシング半部に結合されている。２つのケーシング半部はばね弾性的に互いに押し付けられる。
【００１８】
ロックを解除するために、スライドエレメントは引抜き方向において上側のケーシング半部へと引かれる。ロック金属薄板の下側の部分における折り曲げられた端部は、スライドエレメントの案内傾斜に沿って滑動し、ロック金属薄板のロックする部分を係止ピンから引き離す。本構成において、横方向ステーにおいてまとめられる３つの保持タブから形成されるロック金属薄板は、支承ピンにおいて保持される外側の保持タブと、中央に配置されているロックタブとの間において緊張下で、通常の共通の面からＶ字形に曲げ拡げられる。さらに適切な輪郭部がスライドエレメントに成形されており、適切な輪郭部は、ロック金属薄板に形成された折曲げ部と共に、ロック及びロック解除時にロック金属薄板の確実な案内を保証する。
【００１９】
２つのケーシング半部のロック時に、スライドエレメントは差込み方向に動かされる。ロック金属薄板の窓状の開口は、最終的には適切に成形されたスライドエレメントの半円形の輪郭部によって、上側のケーシング半部に設けられている係止ピンを介して若しくは係止ピンに向かって案内される。さらなる移動時に、ロック金属薄板の下側の領域は負荷軽減されるので、先に曲げ拡げられた金属薄板は再び平坦な元々の面形状になる。本構成において、支承ピン及び係止ピンのための２つの開口の間隔は、両ケーシング半部がロックされた状態においてロック金属薄板の緊締下において押し合わされるように選択されている。
【００２０】
このことは、このようなロックによって周辺影響に対して高い密閉性が達成可能である点において有利な結果をもたらす。
【００２１】
さらに別の構成では、ロック部材を本発明のように下側の、場合によっては不動のケーシング半部にではなく、可動の上側のケーシング半部に配置することができる。またこの構成においてスライド方向は上側のケーシングの差込み方向に一致することが望まれる。
【００２２】
有利には、構成部材の個数は著しく減じられると同時にトグルレバーに基づくロック部において通常、回動点として設計されるジョイントを、簡単に組付け可能な接触面を備えた構成部材で代替する。緊締湾曲部材の一般的な側方の旋回運動の操作も、有利には可動なケーシング半部の組付け方向に一致するスライド運動によって代替される。
【図面の簡単な説明】
【００２３】
【図１】２つのスライドエレメントを備えた、ロックされた２つのケーシング半部の斜視図である。
【図２】ロック金属薄板を示す図である。
【図３】ロックされた状態にある、部分的に断面にして示したスライドエレメントを備えた２つのケーシング半部の斜視図である。
【図４】ロック解除された状態にある、断面にして示したスライドエレメントを備えたケーシング半部の側方図である。
【図５】スライドエレメント内部の斜視図である。
【発明を実施するための形態】
【００２４】
以下に、本発明の実施の形態を図面を参照しながら詳細に説明する。
【００２５】
図１には、２つのケーシング部分、即ち第１のケーシング半部３と第２のケーシング半部６とを有するケーシング１の側面図が示されている。ケーシング部分３は、後にケーシングカバーが被嵌されるので、依然として上方が開放された状態で示されている。２つのケーシング半部はロックシステムにより結合可能である。ロックシステムは人間工学的に成形されたスライドエレメント２０から形成されている。スライドエレメント２０の内側においてロック金属薄板１０が、ケーシング半部３，６の係止ピン４及び支承ピン７に配置されている。
【００２６】
スライドエレメント２０は側方に一体成形されているガイドレール２５によって案内される。ガイドレール２５は、下側の第２のケーシング半部の側方に一体成形されている側壁９に設けられている案内溝８に係合する。ロック金属薄板１０は、並置されている３つのタブ１１，１３，１１を有する、打抜き成形された方形の成形部材として構成されている。タブは狭幅側に設けられている横方向ステー１５を介して結合されてまとめられている。
【００２７】
ロック金属薄板１０は図２に記載されており、３つのタブ状の部分に分かれている。本実施の形態において、中央のロックタブ１３は並置されている２つの方形の窓開口１２を有しており、中央のロックタブ１３の左右に配置されている比較的短い２つの保持タブ１１はそれぞれ開口１４を有している。またこれらの開口１４は窓開口１２の下側に配置されている。中央のロックタブ１３が保持タブ１１の開口１４の上側においてＴ字形に構成されているので、外側の保持タブ１１は短く保たれており、ひいては３つの保持タブ１１，１３，１１を互いに結合している下側の横方向ステー１５と同じ幅をロックタブ１３は有している。さらに、比較的短い保持タブ１１の下側の角領域にはそれぞれ、Ｓ字形の端部１７がロック金属薄板の平面から折り曲げられている。ロックタブ１３のＴ字形の部分の側方領域にはそれぞれ縁部領域１９が設けられている。縁部領域１９の一方の端部には折り曲げられた端部部材１６が成形されており、他方の端部にはそれぞれ縁部領域の平面に対して平行に押し出されたアーム１８が設けられている。
【００２８】
図３には、ロックされたポジションの２つのケーシング半部３，６を備えたロックシステムが等尺大で示されている。部分的に断面されたスライドエレメント２０により、ロック金属薄板１０を見ることができる。図３から、第１のケーシング半部３及び第２のケーシング半部６の外壁はそれぞれ２つのピンを有していることが判る。本実施の形態において、上側の第１のケーシング半部３には係止ピン４が一体成形されており、下側の第２のケーシング半部６には支承ピン７が一体成形されている。これらのピンは外壁に対して平行に配向されたロック金属薄板１０の開口１２，１４内に挿入されている。２つのケーシング半部３，６は緊締下で組み合わされる。
【００２９】
図４の側面図には、部分的に断面にして示されているスライドエレメント２０と共に、２つのケーシング半部３，６のロック解除されたポジションが示されている。さらにスライドエレメント２０は上方に引っ張られているので、ロック金属薄板１０はスライドエレメント２０の側方領域に組み込まれている傾斜２２を介して、横方向ステー１５の角領域にそれぞれ設けられている、Ｓ字形の、ケーシングから離れるように曲げられた端部１７によって側方において連行されており、スライドエレメントの底部付近において滑り上がる。
【００３０】
本実施の形態において中央のロックタブ１３は外側の保持タブ１１から離れる方向に引っ張られるので、中央のロックタブ１３と外側の保持タブ１１とははさみ状に互いに引き離される。横方向ステー１５は最終的に、中央のロックタブ１３と外側の保持タブ１１との間に回動点を形成する。しかしながら外側の保持タブ１１の開口１４は常に下側の第２のケーシング半部６の支承ピン７に留まっており、中央のロックタブ１３は上側の第１のケーシング半部３の係止ピン４を解放しつつ、シェル形のスライドエレメント２０の内部に向かって曲げられている。ロック金属薄板１０の外方曲げの限界は、スライドエレメントの側壁に設けられている上側の半円形の輪郭部２４と、ロック金属薄板１０から折り曲げられたアーム１８とによりもたらされる。アーム１８はスライドエレメント２０の凹状に成形された壁に当接する。ロック金属薄板１０は、スライドエレメント２０の側壁に設けられている上側の輪郭部２４と中央の輪郭部２６との間において案内される。
【００３１】
ロック時、即ちスライドエレメント２０が下方に移動する場合、曲げ拡げられたタブ１１，１１，１３の角度は減じられる。下側の傾斜２２を滑り上がる端部部材１７が脚部角度（Schenkelwinkel）を減じ、横方向ステー１５が下側の第２のケーシング半部６の側壁へと一定に案内されることにより、曲げ拡げられたタブは再びまとまって一緒になる。これと同時に、ロック金属薄板１０の上側の部分に設けられている縁部領域１９は、縦長の中央の輪郭部２６に沿ってかつ上側の半円形の輪郭部２４に沿ってスライドし、アーム１８の屈曲部は輪郭部２６に載置される。したがってロックタブ１３は第１のケーシング半部３に対して押圧されるので、窓開口１２は係止ピン４を収容する。
【００３２】
中央のロックタブ１３の窓開口１２は既に係止ピン４を収容しているので、スライドエレメント２０の下方への最終的な移動によって、ロック金属薄板１０は側壁に対して軽度に傾いた状態になり、ロック金属薄板１０のトグルレバー作用の発生に基づき、２つのケーシング半部３，６は緊締下にあるロック状態へと押し合わされる。
【００３３】
図５には、スライドエレメント２０の内部構造の斜視図が示されている。図５において、スライドエレメント２０の側壁に一体成形された複数の部分を見て取ることができる。まず、スライドエレメントを第２のケーシング半部６に沿って摺動若しくはスライド可能に保持している側方のガイドレール２５を見て取ることができ、次いで、スライドエレメント２０が下側のＳ字形の端部部材１７によって滑動する下側の傾斜２２、及びさらに重要な一体成形部２４，２６，２７，２８を見て取ることができる。上側の半円形の輪郭部２４と中央の縦長の輪郭部２６との間において、アーム１８が中央のロックタブ１３の接続している端部領域１９と共に、ロック金属薄板１０の移動時に案内される。
【００３４】
押圧成形部２７によって保持タブ１１が常に第２のケーシング半部６に対して押圧されることにより、支承ピン７は保持タブの開口１４から滑り出ることはなく、スライドエレメント２０のロック解除された状態において、ロック金属薄板１０が緊締された状態に保証されている。２つのケーシング半部のロックのための（本実施の形態においては下方への）移動時にロック金属薄板１０は弛緩し、仮想の死点（imaginaeren Todpunkt）を越えて中央の輪郭部２６にもたれる。保持タブ１１が整合して接触している輪郭部２６の面は、ケーシング半部６の壁に対する側方の間隔に関して、傾斜２２の直ぐ上方において、下側の折り曲げられた端部部材１７の支承点から少し離れて、ケーシング半部６に接触している。側壁と押圧成形部２７との間に一体成形されている輪郭部２８は、傾斜２２の内壁２９のように、外側の保持タブ１１の側方の案内のために働く。最終的に、ロック金属薄板１０の位置はロック中においては、側壁に沿って少し傾いて方向付けられていて、とりわけ上側の第１のケーシング半部３から内方に向けられて、下側の第２のケーシング半部６に向かって方向付けられている。
【符号の説明】
【００３５】
１  ケーシング、  ３  上側の第１のケーシング半部、  ４  係止ピン、  ６  下側の第２のケーシング半部、  ７  支承ピン、  ８  側方の案内溝、  ９  下側の第２のケーシング半部の側壁、  １０  ロック金属薄板、  １１  外側の保持タブ、  １２  上側の窓開口、  １３  中央のロックタブ、  １４  中央（下側）の開口、  １５  横方向ステー、  １６  上側の折り曲げられた端部部材、  １７  下側のＳ字形に折り曲げられた端部部材、  １８  金属薄板に対して平行なアーム、  １９  アーム１８にわたる端部領域、  ２０  スライドエレメント、  ２１  人間工学的な凹状の外形、  ２２  傾斜、  ２３  面の内側の凸状の輪郭部、  ２４  上側の半円形の輪郭部、  ２５  （側方の案内溝８に対する）側方のガイドレール、  ２６  中央の輪郭部、縦長の接触輪郭部、  ２７  押圧成形部、  ２８  狭幅な一体成形部、  ２９  内壁
【図１】
2011058630.tif 000003
【図２】
2011058630.tif 000004
【図３】
2011058630.tif 000005
【図４】
2011058630.tif 000006
【図５】
2011058630.tif 000007